(57)【要約】【課題】トップカバーの小形化を図り得る乾燥機能付きの洗濯機を提供すること。【解決手段】トップカバー１４の後端部には電装品収納部１９が設けられており、電装品収納部１９内には右から順に給水部３２と注水ケース３１と乾燥ユニット３３とが収納されている。この構成の場合、３者のうちで高さ寸法が最も大きな乾燥ユニット３３が端に配置されている。このため、乾燥ユニット３３の影響による高さ寸法の増加がトップカバー１４の端だけに止められ、トップカバー１４の端だけに盛上げ部５８を設けることで対応できるので、トップカバー１４が小形化される。【選択図】　図１
2004121322.tif 000002
【特許請求の範囲】
【請求項１】
洗濯槽が収納された外箱と、
前記外箱の上端部に設けられ、前記洗濯槽内に洗濯物を投入する投入口を有するトップカバーと、
前記洗濯槽内に水を注入する注水部と、
前記注水部に水を供給する給水部と、
前記洗濯槽内に風を送る送風部とを備え、
前記給水部と前記注水部と前記送風部とは、前記トップカバーに当該順序で配列されていることを特徴とする洗濯機。
【請求項２】
トップカバーに設けられ、上面が開口する部品収納部と、
前記トップカバーに設けられ、前記部品収納部の上面を覆うカバーとを備え、
給水部と注水部と送風部とは、前記部品収納部内に当該順序で配列され、
前記カバーには、前記送風部の上方だけに位置して上方へ盛上る盛上げ部が設けられていることを特徴とする請求項１記載の洗濯機。
【請求項３】
洗濯槽が収納された外箱と、
前記外箱の上端部に設けられ、前記洗濯槽内に洗濯物を投入する投入口が形成された無底状の本体部および上面が開口する有底状の部品収納部を有するトップカバーと、
水道とは別の水源から水を汲み上げる給水ポンプとを備え、
前記給水ポンプは、一部が前記部品収納部の底板上に搭載され残りが前記本体部内に挿入されていることを特徴とする洗濯機。
【請求項４】
洗濯槽が収納された外箱と、
前記外箱の上端部に設けられ、前記洗濯槽内に洗濯物を投入する投入口を有するトップカバーと、
前記トップカバー内に設けられ、吸込口および吐出口を有するファンケーシングと、
前記ファンケーシング内に設けられ、前記吸込口から空気を吸引して前記吐出口から吐出するファンと、
前記ファンケーシングに設けられ、前記ファンを駆動するファンモータと、
前記ファンケーシング内に設けられ、前記ファンケーシング内の空気を加熱する熱源とを備え、
前記吐出口と前記ファンと前記ファンモータと前記熱源とは、長方形または正方形の四隅部に位置するように前記ファンケーシングに設けられていることを特徴とする洗濯機。
【発明の詳細な説明】
【０００１】
【発明の属する技術分野】
本発明は、外箱の上端部にトップカバーが装着された構成の洗濯機に関する。
【０００２】
【従来の技術】
上記洗濯機にはトップカバー内の後端部に乾燥機を収納し、乾燥機から洗濯槽内に温風を送風することに基づいて洗濯槽内の洗濯物を乾燥する構成のものがある。この構成の場合、乾燥機の高さ寸法が大きいので、トップカバーの後端部の左右方向の全域を上方に盛上げ、乾燥機を盛上げ部の下方に配置している（例えば特許文献１参照）。
【０００３】
【特許文献１】
特開２００１−３００１９２号公報（図１、図４）
【０００４】
【発明が解決しようとする課題】
上記従来構成の場合、トップカバーの後端部の左右方向の全域が上方に盛上がっており、トップカバーの輪郭が大きい。このため、例えばトップカバーの後端部に収納された給水弁の接続口を盛上げ部の上方に突出させる必要性が生じるので、接続口の位置が高くなる。従って、接続口の上方にスペース的な余裕が少なくなるので、接続口を対象物に接続できなくなることがある。
本発明は上記事情に鑑みてなされたものであり、その目的は、トップカバーの小型化を図り得る洗濯機を提供することにある。
【０００５】
【課題を解決するための手段】
請求項１および２に係る発明は、洗濯槽内に水を注入する注水部と注水部に水を供給する給水部と洗濯槽内に風を送る送風部とをトップカバーに給水部，注水部，送風部の順序で配列したところに特徴を有する。この配列は３者の相対的な位置関係を称するものであり、例えば左から給水部，注水部，送風部の順序で配列されていても、右から給水部，注水部，送風部の順序で配列されていても、前から給水部，注水部，送風部の順序で配列されていても良い。
請求項１および２に係る発明によれば、給水部と注水部と送風部とのうちで高さ寸法が最も大きな送風部が端に配置されている。このため、送風部の影響による高さ寸法の増加を送風部の上方だけに止めることができるので、トップカバーが小形化される。従って、給水部の接続口の位置が高くなることがなくなり、接続口の上方にスペース的な余裕が確保されるので、接続口を対象物に接続し易くなる。しかも、給水部および送風部が注水部を挟んで配置されているので、給水部および送風部間の機械的な離間距離が長くなる。このため、給水部で水漏れが生じた場合に送風部のファンモータに水がかかり難くなるので、ファンモータの電気的性能が水漏れの影響で低下することが防止される。
【０００６】
請求項３に係る発明は、給水ポンプの一部をトップカバーの部品収納部内に収納し、給水ポンプの残りをトップカバーの本体部内に侵入させるところに特徴を有する。
請求項３に係る発明によれば、給水ポンプの一部を部品収納部の底板上に搭載し、給水ポンプの残余部分を本体部のデッドスペース内に収納することができる。このため、給水ポンプの搭載スペースが少なくなるので、トップカバーが小形化される。
【０００７】
請求項４に係る発明は、ファンとファンモータと熱源とをファンケーシングを介してユニット化することに加え、吐出口とファンとファンモータと熱源とを長方形または正方形の四隅部に位置するようにファンケーシングに設けるところに特徴を有する。
請求項４に係る発明によれば、吐出口とファンとファンモータと熱源とが長方形または正方形の四隅部に位置するようにファンケーシングに設けられているので、ユニットに余分な出張りがなくなり、ユニットが小形化される。このため、ユニットの占有スペースが少なくなるので、トップカバーが小形化される。
【０００８】
【発明の実施の形態】
以下、本発明の一実施例を図面に基づいて説明する。尚、本実施例は本発明を乾燥機能付きの洗濯機（洗濯乾燥機）に適用したものである。まず、図５において、外箱１は上面が開口する矩形箱状をなすものであり、外箱１内には水受槽２が吊持されている。この水受槽２は上面が開口され且つ下面が閉鎖された円筒状をなすものであり、水受槽２の下面には洗濯モータ３が固定されている。
【０００９】
水受槽２内には洗濯槽４が収納されている。この洗濯槽４は洗濯物を洗う洗い槽および洗濯物を脱水する脱水槽を兼用するものであり、上面が開口され且つ下面が閉鎖された円筒状をなしている。この洗濯槽４の周板部には複数の貫通孔５が形成されており、洗濯槽４内に注入された水は複数の貫通孔５を通して外部に流れ、水受槽２内に貯留される。
【００１０】
洗濯槽４はクラッチ機構（図示せず）を介して洗濯モータ３の回転軸に連結されている。このクラッチ機構は減速ギア機構を内蔵するクラッチモータ（図示せず）を駆動源とするものであり、クラッチモータが駆動することに基づいて洗濯槽４を洗濯モータ３の回転軸に直結する脱水状態および洗濯槽４を洗濯モータ３の回転軸から遮断する洗い状態に切換わる。
【００１１】
洗濯槽４内にはパルセータ６が収納されている。このパルセータ６は洗濯モータ３の回転軸に直結されたものであり、クラッチ機構の状態に拘らず回転軸と一体的に回転する。即ち、クラッチ機構が脱水状態にあるときには洗濯モータ３の駆動に基づいて洗濯槽４およびパルセータ６が一体的に回転し、クラッチ機構が洗い状態にあるときには洗濯モータ３の駆動に基づいてパルセータ６が単独で回転する。
【００１２】
水受槽２の上端部には平板状の槽カバー７が固定されており、槽カバー７の後端部には上方へ突出する筒状の温風ホース接続口８および注水ホース接続口９が形成されている。また、槽カバー７には温風ホース接続口８および注水ホース接続口９の前方に位置して貫通孔状の内部投入口１０が形成されている。この内部投入口１０の周縁部には内蓋１１が回動可能に装着されており、内部投入口１０は内蓋１１が回動操作されることに基づいて開閉される。
【００１３】
水受槽２の下面には排水管１２が接続されている。この排水管１２は水受槽２内の水を機外へ排出するものであり、排水管１２には排水弁１３が介在されている。この排水弁１３はクラッチ機構と共通のクラッチモータを駆動源とするものであり、クラッチ機構に連動して開閉される。具体的にはクラッチ機構が脱水状態にあるときには排水弁１３が開放状態に切換わることに基づいて排水管１２を開放し、クラッチ機構が洗い状態にあるときには排水弁１３が閉鎖状態に切換わることに基づいて排水管１２を閉鎖する。
【００１４】
外箱１の上端部には外周面に位置してトップカバー１４が被せられている。このトップカバー１４の後板１５には、図３に示すように、左右両端部に位置して貫通状の取付孔１６が形成されており、トップカバー１４は後方から各取付孔１６を通して外箱１の捩子孔に捩子（いずれも図示せず）を締込むことに基づいて外箱１に固定されている。このトップカバー１４は基板収納部１７と本体部１８と電装品収納部１９とを有するものであり、基板収納部１７，本体部１８，電装品収納部１９の詳細構成は次の通りである。
【００１５】
１．基板収納部１７について
トップカバー１４の前端部には基板収納部１７が形成されている。この基板収納部１７は上下面が開口する横長な矩形枠状をなすものであり、基板収納部１７の上端部には、図５に示すように、操作パネル２０が固定されている。この操作パネル２０は基板収納部１７の上面を塞ぐ平板状をなすものであり、操作パネル２０には主電源を入切りするための電源スイッチ，洗濯コースを指定するための洗濯コーススイッチ，指定された洗濯コースで洗濯運転を開始するためのスタートスイッチ，乾燥運転を行うための乾燥スイッチ（いずれも図示せず）が機械的に装着されている。
【００１６】
操作パネル２０の下面には基板ケース２１が固定されている。この基板ケース２１内には制御回路基板および駆動回路基板（いずれも図示せず）が上下２段に収納されており、駆動回路基板には電気的なアクチュエータを駆動する駆動回路（図示せず）が搭載されている。また、制御回路基板にはマイクロコンピュータを主体に構成された制御装置（図示せず）が搭載されており、電源スイッチ，洗濯コーススイッチ，スタートスイッチ，乾燥スイッチは制御装置の入力端子に電気的に接続されている。
【００１７】
２．本体部１８について
トップカバー１４には、図３に示すように、基板収納部１７の後方に位置して本体部１８が形成されている。この本体部１８は底板を有していない無底枠状をなすものであり、本体部１８の天板２２には貫通孔状の外部投入口２３が形成されている。この外部投入口２３は洗濯槽４内に洗濯物を投入する投入口に相当するものであり、外部投入口２３の周縁部には、図５に示すように、内蓋１１の上方に位置して筒状の洗濯物ガイド２４が形成されている。また、本体部１８には外蓋２５が回動可能に装着されており、外部投入口２３は外蓋２５が回動操作されることに基づいて開閉される。
【００１８】
３．電装品収納部１９について
トップカバー１４には、図３に示すように、外部投入口２３の後方に位置して仕切板２６が形成されており、仕切板２６の後方には上面および後面が開口する横長な電装品収納部１９が形成されている。この電装品収納部１９は部品収納部に相当するものであり、底板２７を有する有底状をなしている。
【００１９】
トップカバー１４には水平な突板部２８が形成されており、突板部２８の左側部には複数の貫通孔からなる外部吸込口２９が形成されている。この突板部２８は、図５に示すように、外箱１の後面から後方へ突出するものであり、突板部２８の右端部は、図３に示すように、右方の取付孔１６の左側に位置し、突板部２８の左端部はトップカバー１４の左側面と略同一部分に位置している。この突板部２８は電装品収納部１９の底板として機能するものであり、電装品収納部１９を外箱１の後面から突出する幅広なものにしている。尚、図３の符号３０は切欠部を示すものであり、切欠部３０とは電装品収納部１９の右端部に位置する凹状および切落状の空間部を称している。
【００２０】
電装品収納部１９内には、図１の（ａ）に示すように、左右方向中央部に位置して注水部３１が収納され、注水部３１の右側部および左側部に位置して給水部３２および温風生成部３３が収納されている。これら注水部３１と給水部３２と温風生成部３３とは電装品収納部１９内に左右方向に一列にレイアウトされたものであり、注水部３１，給水部３２，温風生成部３３の詳細構成は次の通りである。
【００２１】
４．注水部３１について
注水部３１は水密状態に密閉された矩形箱状の注水ケースを称するものであり、注水ケース３１には、図５に示すように、注水ホース３４の上端部が接続されている。この注水ホース３４の下端部は槽カバー７の注水ホース接続口９に接続されており、洗濯槽４内には注水ケース３１内から注水ホース３４を通して水が注入される。
【００２２】
５．給水部３２について
電装品収納部１９内には給水弁３５が収納されており、給水弁３５の出口は注水ケース３１に接続されている。この給水弁３５は、図１の（ａ）に示すように、注水ケース３１の右方に配置されたものであり、給水弁３５の入口３６には、図５に示すように、水道ホースＨを介して水道の蛇口Ｊが接続される。この給水弁３５はソレノイドバルブからなるものであり、給水弁３５の開放時には蛇口Ｊから給水弁３５を通して注水ケース３１内に水道水が供給され、注水ケース３１から洗濯槽４内に水道水が注入される。
【００２３】
電装品収納部１９内には、図１の（ａ）に示すように、右端部に位置して給水ポンプ３７が収納されており、給水ポンプ３７の出口には接続ホース３８を介して注水ケース３１が接続され、給水ポンプ３７の入口３９には風呂水ホース（図示せず）が接続されている。この給水ポンプ３７は浴槽等に代表される水道とは別の水源から水を汲み上げるものであり、給水ポンプ３７が風呂水ホースを通して汲み上げた風呂水は接続ホース３８から注水ケース３１内に供給され、注水ケース３１から洗濯槽４内に注入される。この給水ポンプ３７は後半部が電装品収納部１９内に収納され、前半部が本体部１８内に収納されたものであり、給水ポンプ３７の収納状態の詳細は次の通りである。
【００２４】
５−１．給水ポンプ３７の収納状態について
本体部１８および電装品収納部１９間の仕切板２６には、図３に示すように、右端部に位置して貫通孔状のポンプ挿入口３９が形成されており、給水ポンプ３７は後方からポンプ挿入口３９を通して本体部１８内に挿入されることに基づいて本体部１８の洗濯物ガイド２４に突き当てられ、後半部が底板２７上に搭載され且つ前半部が本体部１８内に突出した状態に位置決めされる。
【００２５】
本体部１８の天板２２には、図１の（ｂ）に示すように、ポンプ挿入口３９の前方に位置してポンプ保持部４０が形成されている。このポンプ保持部４０は本体部１８の天板２２から下方へ突出する突状をなすものであり、給水ポンプ３７は洗濯物ガイド２４により位置決めされた状態で電装品収納部１９の水平な底板２７と突状をなすポンプ保持部４０との間で挟持される。
【００２６】
６．温風生成部３３について
温風生成部３３は外気を温風化して洗濯槽４内に送風することに基づいて洗濯槽４内の洗濯物から水分を除去する乾燥ユニットに相当するものであり、乾燥ユニット３３の詳細構成は次の通りである。
【００２７】
電装品収納部１９内には、図１の（ａ）に示すように、注水ケース３１の左方に位置してファンケーシング４１が収納されている。このファンケーシング４１は乾燥ユニット３３のユニットケースを兼用するものであり、外観視が矩形箱状をなしている。このファンケーシング４１の高さ寸法は電装品収納部１９の深さ寸法に比べて大きく設定されており、ファンケーシング４１の上端部は収納状態で本体部１８の天板２２から上方へ突出する。このファンケーシング４１は、図４に示すように、前ケーシング４２および後ケーシング４３を気密状態に接合することに基づいて構成されたものであり、後ケーシング４３の左側部には円形孔状の吸込口４４が形成され、前ケーシング４２の右側部には下面が開口するＬ字通路状の吐出口４５が形成されている。
【００２８】
前ケーシング４２の前面には、図６に示すように、ファンモータ４６が固定されている。このファンモータ４６はコンデンサ誘導モータからなるものであり、ファンモータ４６の回転軸にはファンケーシング４１内に位置してファン４７が固定されている。このファン４７は軸方向から空気を吸引して径方向へ吐出するシロッコ形のものであり、ファン４７の回転時には外気が突板部２８の外部吸込口２９から吸込口４４を通してファンケーシング４１内に吸引され、吐出口４５を通して下方へ吐出される。
【００２９】
ファンケーシング４１の内部には熱源に相当する電熱線ヒータ４８が収納されており、吐出口４５とファンモータ４６とファン４７とヒータ４８とは上面視が仮想的な長方形エリア４９の四隅部に位置するようにレイアウトされている。このヒータ４８は、図４に示すように、後ケーシング４３の内面に固定されたものであり、ファン４７が径方向へ吐出した外気を加熱することに基づいて温風化する。
【００３０】
前ケーシング４２の吐出口４５には、図５に示すように、縦長な温風ホース５０が接続されている。この温風ホース５０は蛇腹状をなすものであり、温風ホース５０の外径寸法および内径寸法は上端部から下端部に向うに従って小さく設定されている。この温風ホース５０の下端部は槽カバー７の温風ホース接続口８に接続されており、ファンケーシング４１の吐出口４５から吐出された温風は温風ホース５０を通して洗濯槽４内に注入され、洗濯槽４内の洗濯物を乾燥させる。
【００３１】
電装品収納部１９内には、図１の（ａ）に示すように、給水弁３５の右方に位置して安全レバー５１が収納されている。この安全レバー５１は通常状態および異常状態間で回動可能にされたものであり、洗濯槽４の回転状態が径方向へ許容値を超えて揺れるものであるときには洗濯槽４が安全レバー５１に衝突することに基づいて安全レバー５１を通常状態から異常状態に回動操作する。この洗濯槽４の揺れは洗濯物の重量的な偏りに起因するものであり、安全レバー５１は洗濯槽４の許容値を超えた揺れを機械的に検出する。以下、洗濯槽４の許容値を超えた揺れをアンバランス状態と称する。
【００３２】
電装品収納部１９内には安全レバー５１の下方に位置して安全スイッチ５２が収納されている。この安全スイッチ５２は安全レバー５１によってオンオフ操作されるメカニカルスイッチからなるものであり、安全レバー５１の回動状態に応じた電気信号を出力する。この安全スイッチ５２は制御装置に電気的に接続されており、制御装置は安全スイッチ５２の電気的状態に基づいて洗濯槽４のアンバランスを検出する。
【００３３】
トップカバー１４の後端部には、図５に示すように、バックカバー５３が着脱可能に固定されている。このバックカバー５３は電装品収納部１９の上面および後面を塞ぐことに基づいて電装品収納部１９を閉鎖空間化し、注水ケース３１，乾燥ユニット３３，給水弁３５，給水ポンプ３７，安全レバー５１，安全スイッチ５２を閉鎖空間内に収納するものであり、図２に示すように、電装品収納部１９の上面を塞ぐ天板５４および電装品収納部１９の後面を塞ぐ後板５５を有している。
【００３４】
バックカバー５３の天板５４には右半部に位置して平面部５６が形成されている。この平面部５６は注水部３１および給水部３２（具体的には給水弁３５および給水ポンプ３７）に加えて安全レバー５１および安全スイッチ５２を上方から覆う水平な板状をなすものであり、平面部５６には２個の貫通孔５７が形成され、給水弁３５の入口３６および給水ポンプ３７の入口３９は貫通孔５７を通して平面部５６の上方に突出している。
【００３５】
バックカバー５３の左半部には盛上げ部５８が形成されている。この盛上げ部５８は右方の平面部５６に対して上方に膨らむ円弧板状をなすものであり、乾燥ユニット３３は、図５に示すように、盛上げ部５８の下方に間隔を置いて収納されている。また、バックカバー５３の後板５５にはフィルター５９が装着されている。このフィルター５９はバックカバー５３をトップカバー１４に装着することに基づいてファンケーシング４１の吸込口４４の後方に配置されるものであり、外気に含まれる粉塵を捕捉する機能を有している。
【００３６】
制御装置には駆動回路を介して洗濯モータ３，クラッチモータ，給水弁３５，給水ポンプ３７，ファンモータ４６が電気的に接続されており、制御装置はスタートスイッチのオン操作を検出することに基づいて洗濯モータ３，クラッチモータ，給水弁３５，給水ポンプ３７を駆動制御し、洗濯運転を実行する。この洗濯運転は制御装置がＲＯＭに記憶された制御プログラムに基づいて全自動で行うものであり、制御装置は洗濯運転の非実行時に乾燥スイッチのオン操作を検出すると、ファンモータ４６およびヒータ４８を駆動制御し、洗濯槽４内に温風を注入する。即ち、乾燥運転は洗濯運転が実行されていないことを条件にマニュアル操作で実行されるものであり、制御装置は乾燥運転の実行状態で乾燥スイッチが再操作されたことを検出すると、ファンモータ４６およびヒータ４８を駆動停止することに基づいて乾燥運転を終える。
【００３７】
上記実施例によれば、給水部３２と注水ケース３１と乾燥ユニット３３とをトップカバー１４に当該順序で配列したので、３者のうちで高さ寸法が最も大きな乾燥ユニット３３が端に配置される。このため、乾燥ユニット３３の影響による高さ寸法の増加がトップカバー１４の端だけに止められ、トップカバー１４の端だけに盛上げ部５８を設けることで対応できるので、トップカバー１４が小形化される。従って、給水弁３５の接続口３６および給水ポンプ３７の接続口３９の位置が高くなることがなくなり、接続口３６および３９の上方にスペース的な余裕が確保されるので、接続口３６および３９を対象物に接続し易くなる。
【００３８】
また、給水部３２および乾燥ユニット３３を注水ケース３１を挟んで配置したので、給水部３２および乾燥ユニット３３間の機械的な離間距離が長くなる。このため、給水部３２で水漏れが生じた場合に乾燥ユニット３３のファンモータ４６に水がかかり難くなるので、ファンモータ４６の電気的性能が水漏れの影響で低下することが防止される。尚、給水部３２は給水弁３５および給水ポンプ３７を有するものである。
【００３９】
また、給水ポンプ３７の一部を電装品収納部１９の底板２７上に搭載し、給水ポンプ３７の残余部分を本体部１８のデッドスペース（外部投入口２３の外周部、洗濯物ガイド２４の外周部）内に収納した。このため、給水ポンプ３７の搭載スペースが少なくなり、トップカバー１４のうち給水ポンプ３７の後方に切欠部３０を形成できるので、この点からもトップカバー１４が小形化される。
【００４０】
また、ファンモータ４６とファン４７とヒータ４８とをファンケーシング４１を介してユニット化すると共に、吐出口４５とファンモータ４６とファン４７とヒータ４８とを長方形エリア４９の四隅部に位置するようにファンケーシング４１に設けたので、乾燥ユニット３３に余分な出張りがなくなり、乾燥ユニット３３が小形化される。このため、乾燥ユニット３３の占有スペースが少なくなるので、この点からもトップカバー１４が小形化される。
【００４１】
尚、上記実施例においては、左から乾燥ユニット３３，注水ケース３１，給水部３２の順序で配置したが、これに限定されるものではなく、例えば給水部３２，注水ケース３１，乾燥ユニット３３の順序で配置しても良い。
また、上記実施例においては、送風部として温風を送風する乾燥ユニット３３を用いたが、これに限定されるものではなく、例えば常温風を送風する送風ユニットを用いても良い。
【００４２】
また、上記実施例においては、乾燥ユニット３３，注水ケース３１，給水部３２をトップカバー１４の後端部に収納したが、これに限定されるものではなく、例えばトップカバー１４の左端部または右端部に配置しても良い。この場合、前から乾燥ユニット３３，注水ケース３１，給水部３２の順序で配列したり、後から乾燥ユニット３３，注水ケース３１，給水部３２の順序で配列すると良い。
【００４３】
また、上記実施例においては、給水部３２として給水弁３５および給水ポンプ３７を有するものを用いたが、これに限定されるものではなく、例えば給水ポンプ３７を廃止し、給水弁３５を有するものを用いても良い。
また、上記実施例においては、吐出口４５とファンモータ４６とファン４７とヒータ４８とを長方形エリア４９の四隅部に位置するようにファンケーシング４１に設けたが、これに限定されるものではなく、例えば正方形エリアの四隅部に位置するようにファンケーシング４１に設けても良い。
【図面の簡単な説明】
【図１】本発明の一実施例を示す図（ａは乾燥ユニット，注水ケース，給水弁、給水ポンプ等のレイアウトを示す斜視図、ｂはＸ線に沿う断面図）
【図２】洗濯機の外観を示す斜視図
【図３】トップカバーを示す斜視図
【図４】乾燥ユニットを分解状態で示す斜視図
【図５】洗濯機の内部構成を示す図
【図６】乾燥ユニットを組立て状態で示す図
【符号の説明】
１は外箱、４は洗濯槽、１４はトップカバー、１８は本体部、１９は電装品収納部（部品収納部）、２３は外部投入口（投入口）、２７は底板、３１は注水ケース（注水部）、３２は給水部、３３は乾燥ユニット（送風部）、３７は給水ポンプ、４１はファンケーシング、４４は吸込口、４５は吐出口、４６はファンモータ、４７はファン、４８はヒータ（熱源）、５３はバックカバー（カバー）、５８は盛上げ部を示している。
【図１】
2004121322.tif 000003
【図２】
2004121322.tif 000004
【図３】
2004121322.tif 000005
【図４】
2004121322.tif 000006
【図５】
2004121322.tif 000007
【図６】
2004121322.tif 000008